(57)【要約】【課題】浸け皿は、単に液体調味料を溜め置いて浸けるだけの機能しかなく、遊び心のある物が無い上に、料理と薬味を液体調味料に浸すことになるため、それらを浸ける量の加減が困難で、料理を美味しく頂けない等の問題があった。【解決手段】皿１に注いだ液体調味料６の流動と停滞により、液体調味料６が形成する絵柄または文字が変形するように、皿１に立体的な凹凸部２を形成する上に、凹凸部２以外の凸部と同じ高さの部位に丘陵帯３を設けて構成する。【選択図】  図１
2004305665.tif 000002
【特許請求の範囲】
【請求項１】
食事用の皿であって、皿に注いだ液体調味料の流動と停滞により、液体調味料または皿の一部が、絵柄または文字を形成するように、皿の上面に凹凸部を設けて構成することを特徴とする絵文字形成皿。
【請求項２】
前記絵柄または文字が、前記液体調味料を多く注ぐに従って変形するように、前記凹凸部を立体的に形状変更して形成することを特徴とする請求項１に記載の絵文字形成皿。
【請求項３】
前記凹凸部以外の皿上面の前記凸部と同じ高さの部位に丘陵帯を設けることを特徴とする請求項１または請求項２に記載の絵文字形成皿。
【請求項４】
前記皿の周縁が、起立形成されると共に、前記周縁の少なくとも一箇所に、一膳の箸が遊嵌可能な幅の凹状の箸置き部を設けることを特徴とする請求項１〜請求項３のいずれかに記載の絵文字形成皿。
【発明の詳細な説明】
【０００１】
【発明の属する技術分野】本発明は、注いだ液体調味料を浸けて食べるのに用いる食事用皿に関するものである。
【０００２】
【従来の技術】従来より、注いだ液体調味料に料理を浸けて食べる醤油皿やタレ皿等の食事用皿は、丸型や四角型の浅い小皿が一般的である。
【０００３】
【発明が解決しようとする課題】しかしながら、この皿は、注いで溜め置かれた液体調味料が、皿の表面積の殆んどを占めるため、次のような問題があった。
（イ）単に液体調味料を溜め置いて浸けるだけの機能しかなく、使って楽しい遊び心のある物が無い。
（ロ）料理を液体調味料に浸すことになるため、液体調味料を浸ける量の加減が困難で、料理を美味しく頂けない。
（ハ）山葵や辛子、生姜等の薬味を添える、または料理に塗布する部位が皿に無いため、薬味の量の加減が困難で、料理を美味しく頂けない。
（ニ）皿に鮮やかな彩りが有っても液体調味料に没してしまうため、見た目にも楽しく無く、食卓を殺風景にしてしまう。
（ホ）皿が少し揺れたり傾いたりすると、液体調味料が皿からこぼれる。
本発明は、上記の問題を解決する皿を安価に作成するためになされたものである。
【０００４】
【課題を解決するための手段】請求項１記載の発明に係る絵文字形成皿は、皿に注いだ液体調味料の流動と停滞により、液体調味料または皿の一部が、絵柄または文字を形成するように、皿の上面に凹凸部を設けて構成したものである。
【０００５】このような請求項１記載の発明によれば、液体調味料が皿に注がれると共に凹部に流動することにより、液体調味料または皿の一部が、絵柄または文字を形成することが出来る。
【０００６】請求項２記載の発明に係る絵文字形成皿は、前記絵柄または文字が、前記液体調味料を多く注ぐに従って変形するように、前記凹凸部を立体的に形状変更して形成したものである。
【０００７】このような請求項２記載の発明によれば、液体調味料を多く注ぐに従って、前記絵柄または文字を、拡張、縮小、または変形させることが出来る。
【０００８】請求項３記載の発明に係る絵文字形成皿は、前記凹凸部以外の皿上面の前記凸部と同じ高さの部位に丘陵帯を設けたものである。
【０００９】このような請求項３記載の発明によれば、前記丘陵帯は液体調味料が停滞しないため、山葵や辛子、生姜等の薬味を添えて、好みの量だけ料理に塗布したり、取り皿代わりに料理を置いて味わったり、液体調味料が皿からこぼれるのを防いだりすることが出来る。
【００１０】請求項４記載の発明に係る絵文字形成皿は、前記皿の周縁が、起立形成されると共に、前記起立する皿の周縁の少なくとも一箇所に、一膳の箸が遊嵌可能な幅の凹状の箸置き部を設けたものである。
【００１１】このような請求項４記載の発明によれば、皿の周縁が、料理と液体調味料が皿からこぼれ落ちるのを抑制すると共に、箸を転がらずに休める箸置きを構成することが出来る。
【００１２】
【発明の実施の形態】以下、本発明の（実施の形態）について説明する。図１は本発明の（実施の形態）による絵文字形成皿の例を示す図であり、図１（ａ）は上面図、図１（ｂ）は図１（ａ）の側面図、図１（ｃ）は図１（ａ）の断面ＡＡにおける断面図、図１（ｄ）と図１（ｅ）は液体調味料が形成する絵文字の変化説明図である。
【００１３】図１に示すように、（実施の形態）の皿は、皿１に注いだ液体調味料６の流動と停滞により、液体調味料６または皿１の一部が、絵柄または文字を形成するように、皿１の上面に凹凸部２を設けて構成する。
【００１４】ここで、凹凸部２を設けて構成する皿１の絵柄は、醤油皿を用いて食べる刺身や寿司ネタになる水中生物や、タレ皿を用いて食べる焼肉やバーベキュー、中華料理の食材になる動植物等が好ましい。
【００１５】本（実施の形態）は、刺身や寿司用の醤油皿として、魚の絵柄が、液体調味料６を皿に多く注ぐに従って変形するように、前記凹凸部２を立体的に形状変更して形成する。
【００１６】具体的には、先ず、皿１上面の底面２ａを小さな魚（稚魚）の形状をした凹部平面で構成する。
【００１７】そして、前記底面２ａから鉛直上方に行くほど、魚の本体形状と共に背鰭部や尾鰭部が立体的に拡張する（成魚の）形状に凹凸部２を形成する。
【００１８】更に、水中の泡を表す円形の凹部２ｅを、前記背鰭部の先端に繋げて形成する。
【００１９】以上の魚と泡の形状を等高線（２点鎖線）で示すと図１（ａ）〜（ｃ）の通りで、前記底面２ａに対して２ｍｍ上方、４ｍｍ上方、６ｍｍ上方の等高線がそれぞれ、２ｂ、２ｃ、２ｄになる。
【００２０】更に、前記魚と泡を形成する凹凸部２外周の、凸部と同じ高さである、前記底面２ａより８ｍｍ上方の部位に、平面の丘陵帯３を設ける。
【００２１】更に、前記皿１の周縁４が、上方に起立形成されると共に、前記起立する皿１の周縁４の左右両側に、一膳の箸が遊嵌可能な幅の凹状の箸置き部５を設ける。
【００２２】更に、前記泡を表す円形の凹部２ｅの上方に連なるように複数の円形の凹部２ｆを前記丘陵帯３に設けても良い。
【００２３】更に、前記丘陵帯３に液体調味料６を注いでも、液体調味料６が魚を形成する前記凹部に流れ込むように、前記凹部に向かって下り傾斜した面や溝を丘陵帯３に設けても良い。
【００２４】以上の凹凸部２の形状の製作は、手作りでも可能だが、型成型するのが好ましい。
【００２５】皿１の材料としては、通常の陶磁器材料の他に、ガラス、セラミック、メラミン、合成樹脂、金属、木を用いる。
【００２６】（実施の形態の作用）
先ず、図１（ｄ）は、液体調味料６を底面２から２ｍｍ上方（等高線２ｂ）まで注いだ状態を表す説明図である。
【００２７】この際、液体調味料６は、凹凸部２の形状に倣って流動し、小魚（稚魚）の形状を瞬時に形成する。
【００２８】よって、わずか数ｃｃの液体調味料６を注いだだけでも、液体調味料６が描く可愛い小魚（稚魚）の形状を楽しむことが出来る。
【００２９】更に、図１（ｅ）は、液体調味料６を底面２から６ｍｍ上方（等高線２ｄ）まで注いだ状態を表す説明図である。
【００３０】この際、液体調味料６は、凹凸部２の形状に倣って流動し、魚の本体形状と共に背鰭部と尾鰭部が拡張して成魚の形状を形成する。
【００３１】そして、液体調味料６が底面２から５ｍｍ程度上方まで注がれた時から、液体調味料６は背鰭部の先端から水中の泡を表す円形の凹部２ｅに流動し出して、泡の円形を形成し始める。
【００３２】よって、液体調味料６を多く注ぐに従って、液体調味料６が描く形状が、小魚（稚魚）から鰭を伸ばした成魚、更に泡と、立体的に拡張しながら変形するため、驚きと共に、遊び心のある絵柄の変化を楽しむことが出来る。
【００３３】次に、前記丘陵帯３は、液体調味料６が停滞しないで、自由に使える所謂取り皿の機能を備える上に、液体調味料６が徐々に深く停滞する前記凹部に隣接する。
【００３４】よって、料理を液体調味料６に浅く浸けることにより、液体調味料を浸ける量の加減が容易なため、好みの味加減で料理を美味しく頂くことが出来る。
【００３５】更に、前記丘陵帯３において、山葵や辛子、生姜等の薬味を添えたり料理に塗布したりすることが可能で、薬味の量の加減が容易なため、好みの味加減で料理を美味しく頂くことが出来る。
【００３６】更に、特に刺身や寿司等を醤油に浸けて頂く際に、魚の形状をした液体調味料６が食卓の魚介類料理にマッチして雰囲気を盛り上げ、より楽しく料理を味わうことが出来る。
【００３７】更に、前記丘陵帯３に絵柄や文字を描けば、それらの鮮やかな彩りが液体調味料６に没することなく、見た目にも楽しく華やかに、食卓を飾ることが出来る。
【００３８】更に、皿が少し揺れたり傾いたりしても、液体調味料６は、前記丘陵帯３にあふれるだけで、起立する皿１の周縁４からこぼれることは無い。
【００３９】更に、箸置き部５の凹状部に一膳の箸を転がること無く休めることが出来る。
【００４０】更に、複数の円形の凹部２ｆが、円形の凹部２ｅに連なる泡を形成しながら、液体調味料６や薬味を入れ置く部位を形成することが出来るため、より楽しく料理を頂くことが出来る。
【００４１】更に、前記凹部に向かって下り傾斜した面や溝を丘陵帯３に設けることにより、無意識に液体調味料６を丘陵帯３に注いでも、液体調味料６が凹凸部２に流れ込んで、魚や泡を形成することが出来る。
【００４２】以上の凹凸部２の形状は、材料に通常の陶磁器材料、ガラス、セラミック、メラミン、合成樹脂、金属を用いて、型成型することにより安価に作成することが出来る。
【００４３】（変形例１）
次に、図２は上記の（実施の形態）による絵文字形成皿の（変形例１）を示す図であり、図２（ａ）は上面図、図２（ｂ）は図２（ａ）の側面図、図２（ｃ）は図２（ａ）の断面ＡＡにおける断面図、図２（ｄ）と図２（ｅ）は液体調味料が形成する絵文字の変化説明図である。
【００４４】図２に示すように、（変形例１）の皿は、上記の（実施の形態）に対し、蟹の絵柄が、液体調味料６を皿に多く注ぐに従って形成されるように、前記凹凸部２を立体的に形状変更したものである。
【００４５】以下に上記の（実施の形態）に対する変更点のみを説明する。先ず、皿１上面の底面２ａにハート型をした凹部平面を構成する。
【００４６】そして、前記底面２ａから鉛直上方に行くほど、蟹の本体形状と共に足と鋏（前足）、目が拡張して蟹の形状を成すように、足と鋏、目の形状をした凹部２ｇを形成する。
【００４７】（変形例１の作用）
以下に上記の（実施の形態の作用）に対して異なる作用のみを説明する。先ず、図２（ｄ）は、液体調味料６を底面２から２ｍｍ上方（等高線２ｂ）まで注いだ状態を表す説明図である。
【００４８】この際、液体調味料６は、凹凸部２の形状に倣って流動し、ハート型を瞬時に形成する。
【００４９】よって、わずか数ｃｃの液体調味料６を注いだだけでも、液体調味料６が描く可愛いハート型を楽しむことが出来る。
【００５０】更に、図２（ｅ）は、液体調味料６を底面２から６ｍｍ上方（等高線２ｄ）まで注いだ状態を表す説明図である。
【００５１】この際、液体調味料６が底面２から３ｍｍ程度上方まで注がれた時から、液体調味料６は足と鋏、目の形状をした凹部２ｇに流動し出して、足と鋏、目を形成し始める。
【００５２】こうして、液体調味料６は、ハート型が甲羅の形状に成った後、目を飛び出すと共に、手足を伸ばすように足と鋏を立体的に拡張して、愛くるしい蟹の形状を形成する。
【００５３】よって、液体調味料６を注ぐに従って、より驚きながら遊び心のある絵柄の変化を楽しむことが出来る。
【００５４】（変形例２）
次に、図３は上記の（実施の形態）による絵文字形成皿の（変形例２）を示す図であり、図３（ａ）は上面図、図３（ｂ）は図３（ａ）の側面図、図３（ｃ）は図３（ａ）の断面ＡＡにおける断面図、図３（ｄ）と図３（ｅ）は液体調味料が形成する絵文字の変化説明図である。
【００５５】図３に示すように、（変形例２）の皿は、上記の（実施の形態）に対し、文字が、液体調味料６を皿に多く注ぐに従って形成されるように、前記凹凸部２を立体的に形状変更したものである。
【００５６】以下に上記の（実施の形態）に対する変更点のみを説明する。先ず、皿１上面の底面２ａにハート型をした凹部平面を２つ構成する。
【００５７】そして、前記底面２ａから鉛直上方に行くほど、拡張するハート型と文字『ＬＯＶＥ』の形状をした凹部２ｈを形成する。
【００５８】文字『ＬＯＶＥ』の形状をした凹部２ｈは、４つのアルファベットをＵ字状の溝で一筆書きのように繋げて描き、その一筆書きの始点と終点において前記ハート型をした２つの底面２ａの拡張部と交わる。
【００５９】文字『ＬＯＶＥ』の形状をした凹部２ｈの底部は底面２ａから３ｍｍ程度上方の位置にする。
【００６０】（変形例２の作用）
以下に上記の（実施の形態の作用）に対して異なる作用のみを説明する。先ず、図３（ｄ）は、液体調味料６を底面２から４ｍｍ上方まで注いだ状態を表す説明図である。
【００６１】この際、液体調味料６は、凹凸部２の形状に倣って流動してハート型を形成、拡張しながら、底面２から３ｍｍ程度上方まで注がれた時から、文字『ＬＯＶＥ』の形状をした凹部２ｈに流動し出す。
【００６２】よって、わずか数ｃｃの液体調味料６を注いだだけでも、液体調味料６が、拡張するハート型を形成した直後に、更に何かの絵文字を描き出すので興味津々になる。
【００６３】更に、図３（ｅ）は、液体調味料６を底面２から６ｍｍ上方まで注いだ状態を表す説明図である。
【００６４】この際、液体調味料６は、文字『ＬＯＶＥ』の形状をした凹部２ｈの終点まで流動した後に、もう１つのハート型に流れ落ち始めて、文字『ＬＯＶＥ』とハート型を拡張する。
【００６５】よって、液体調味料６を注ぐに従って、より驚きながら愛情と遊び心一杯の絵柄の変化を楽しむことが出来る。
【００６６】例えば、男女仲良く、愛情にあふれる絵柄の変化を楽しんだ後に、１つの皿１の２つのハート型に注がれた愛情一杯の液体調味料６を用いて料理を楽しむことも出来る。
【発明の効果】以上の作用をまとめると、本発明は下記の効果を得ることが出来る。
（イ）液体調味料が形成する、遊び心に満ちて、料理や環境にマッチした絵柄や文字の変化を、驚きと共に楽しむことが出来る。
（ロ）料理を液体調味料に浅く浸けることにより、液体調味料を浸ける量の加減が容易になるため、好みの味加減で料理を美味しく頂くことが出来る。
（ハ）丘陵帯において、添えた薬味を料理に塗布することが可能で、薬味の量の加減が容易なため、好みの味加減で料理を美味しく頂くことが出来る。
（ニ）丘陵帯に絵柄や文字を描けば、それらの鮮やかな彩りが液体調味料に没することなく、見た目にも楽しく華やかに、食卓を飾ることが出来る。
（ホ）皿が少し揺れたり傾いたりしても、液体調味料は、前記丘陵帯にあふれるだけで、起立する皿の周縁からこぼれることは無い。
（ヘ）箸置き部に、箸を転がること無く休めることが出来る。
（ト）以上の効果を簡易な構成で安価に作成することが出来る。
【図面の簡単な説明】
【図１】本発明による（実施の形態）を示す図で、図１（ａ）は上面図、図１（ｂ）は図１（ａ）の側面図、図１（ｃ）は図１（ａ）の断面ＡＡにおける断面図、図１（ｄ）と図１（ｅ）は液体調味料が形成する絵文字の変化説明図である。
【図２】本発明による（実施の形態）の（変形例１）を示す図で、図２（ａ）は上面図、図２（ｂ）は図２（ａ）の側面図、図２（ｃ）は図２（ａ）の断面ＡＡにおける断面図、図２（ｄ）と図２（ｅ）は液体調味料が形成する絵文字の変化説明図である。
【図３】本発明による（実施の形態）の（変形例２）を示す図で、図３（ａ）は上面図、図３（ｂ）は図３（ａ）の側面図、図３（ｃ）は図３（ａ）の断面ＡＡにおける断面図、図３（ｄ）と図３（ｅ）は液体調味料が形成する絵文字の変化説明図である。
【符号の説明】
１    皿
２    凹凸部
２ａ  底面
２ｂ  ２ｍｍ上方の等高線
２ｃ  ４ｍｍ上方の等高線
２ｄ  ６ｍｍ上方の等高線
２ｅ  泡を表す円形の凹部
２ｆ  複数の円形の凹部
２ｇ  足と鋏、目の形状をした凹部
２ｈ  文字『ＬＯＶＥ』の形状をした凹部
３    丘陵帯
４    周縁
５    箸置き部
６    液体調味料
【図１】
2004305665.tif 000003
【図２】
2004305665.tif 000004
【図３】
2004305665.tif 000005